(57)【要約】【課題】  外部から入力される画像データに基づいて、所望のアルバムディスクを作成することのできる映像データ記録装置を提供すること。【解決手段】  ユーザによる操作が可能な操作部と、各種データを記録するためのディスク媒体と、外部記録媒体から複数の画像データを入力するための入力部とを備える。外部記録媒体から複数の画像データに関するアルバム参照テーブルが作成される（ステップＳ１１６，Ｓ１２０）。作成されたアルバム参照情報に基づいて、複数の画像データのうち少なくとも一部の画像データを映像データに変換するための変換部と、変換部により変換された映像データをディスク媒体に書き込むための書き込み部とをさらに備える。【選択図】        図４
2006295556.tif 000002
【特許請求の範囲】
【請求項１】
ユーザによる操作が可能な操作手段と、
各種データを記録するための着脱可能なディスク媒体と、
外部記録媒体から複数の画像データを入力するための入力手段と、
前記操作手段からの指示に基づいて、前記複数の画像データに関するアルバム参照情報を作成するための作成手段とを備え、
前記作成手段は、
前記入力手段より少なくとも１つの音楽データが入力されるか否かを判断するための判断手段と、
前記判断手段により前記音楽データが入力されると判断された場合に、前記音楽データを指定するための音楽指定手段と、
前記複数の画像データについての編集を行なうための編集手段とを含み、
前記編集手段は、前記複数の画像データの順番を設定するための順番設定手段と、
前記複数の画像データの回転角度を設定するための角度設定手段と、
前記複数の画像データの切替時間を設定するための時間設定手段とを有し、
前記作成手段により作成された前記アルバム参照情報に基づいて、前記複数の画像データのうち少なくとも一部の画像データを映像データに変換するための変換手段と、
前記変換手段により変換された前記映像データを前記ディスク媒体に書き込むための書き込み手段とをさらに備える、映像データ記録装置。
【請求項２】
ユーザによる操作が可能な操作手段と、
各種データを記録するためのディスク媒体と、
外部記録媒体から複数の画像データを入力するための入力手段と、
前記操作手段からの指示に基づいて、前記複数の画像データに関するアルバム参照情報を作成するための作成手段とを備え、
前記作成手段は、
前記複数の画像データについての編集を行なうための編集手段を含み、
前記作成手段により作成された前記アルバム参照情報に基づいて、前記複数の画像データのうち少なくとも一部の画像データを映像データに変換するための変換手段と、
前記変換手段により変換された前記映像データを前記ディスク媒体に書き込むための書き込み手段とをさらに備える、映像データ記録装置。
【請求項３】
前記ディスク媒体は、着脱可能な媒体である、請求項２に記載の映像データ記録装置。
【請求項４】
前記編集手段は、前記複数の画像データの順番を設定するための順番設定手段を有する、請求項２に記載の映像データ記録装置。
【請求項５】
前記編集手段は、前記複数の画像データの回転角度を設定するための角度設定手段を有する、請求項２に記載の映像データ記録装置。
【請求項６】
前記編集手段は、前記複数の画像データの切替時間を設定するための時間設定手段を有する、請求項２に記載の映像データ記録装置。
【請求項７】
前記作成手段は、
前記入力手段より少なくとも１つの音楽データが入力されるか否かを判断するための判断手段と、
前記判断手段により前記音楽データが入力されると判断された場合に、前記音楽データを指定するための音楽指定手段とをさらに含む、請求項２に記載の映像データ記録装置。
【請求項８】
前記ディスク媒体に書き込まれた前記映像データを再生するための再生手段をさらに備える、請求項２に記載の映像データ記録装置。
【請求項９】
放送信号に基づく映像データを受信するための受信手段をさらに備え、
前記書き込み手段は、さらに、前記受信手段により受信された前記放送信号に基づく映像データを前記ディスク媒体に書き込む、請求項２に記載の映像データ記録装置。
【請求項１０】
前記編集手段による前記複数の画像データの編集に際して、前記複数の画像データをそれぞれ縮小して表示するか、前記複数の画像データを特定するための画像特定情報を一覧表示するかをユーザに選択させるための表示選択手段と、
前記表示選択手段による選択結果に基づき、表示のための信号を生成するための生成手段とをさらに備える、請求項２に記載の映像データ記録装置。
【請求項１１】
前記作成手段による前記アルバム参照情報の作成処理が終了した場合に、前記アルバム参照情報に基づいて前記ディスク媒体への記録を行なうか否かをユーザに選択させるための選択手段をさらに備える、請求項２に記載の映像データ記録装置。
【請求項１２】
前記選択手段により前記ディスク媒体への記録を行なわないことが選択された場合に、前記作成手段により作成された前記アルバム参照情報を記憶するための記憶手段をさらに備える、請求項１１に記載の映像データ記録装置。
【請求項１３】
前記選択手段により前記ディスク媒体への記録を行なわないことが選択された場合には、前記作成手段により作成された前記アルバム参照情報を、前記入力手段を介して前記外部記録媒体に転送する、請求項１１に記載の映像データ記録装置。
【発明の詳細な説明】
【技術分野】
【０００１】
本発明は、映像データ記録装置に関し、特に、外部から入力される画像データに基づいて電子アルバムを作成可能な映像データ記録装置に関する。
【背景技術】
【０００２】
電子式の静止画像撮影装置（以下「デジタルカメラ」という）などで撮影された静止画像を編集したり鑑賞したりするには、ハードディスクが内蔵されているパーソナルコンピュータが用いられることが多い。しかしながら、パーソナルコンピュータでの編集や鑑賞を行なうためには、ある程度コンピュータの操作に習熟していることが必要とされる。
【０００３】
そこで、たとえば、特許文献１には、外部記録媒体に記録された画像データをテレビ装置に表示して、画像編集ソフトウェアによる画像の編集を可能とするディジタル画像編集装置が開示されている。この技術によると、電源がＯＮされてから僅かな時間で外部記録媒体に記録された画像を表示することができる。そして、表示された画像の編集を簡単な操作で行なうことができる。
【０００４】
また、たとえば、特許文献２には、メモリカードに記録されている静止画像データをハードディスクに転送し、ハードディスク内に格納されている静止画像データを映像信号に変換してテレビジョンモニタ等に表示させるデータ保存装置が開示されている。この技術によると、パーソナルコンピュータ等を用いることなく、大量の画像データの保存および鑑賞を行なうことが可能となる。
【０００５】
また、特許文献３には、カードスロットへの挿入といった簡単な操作で、メモリカードの記録内容を示す画像を自動的に表示するメモリカード自動表示装置が開示されている。この技術によると、ハードディスク等の大容量記憶装置に一旦転送することなく画像の表示を行なうことが可能となる。
【０００６】
また、特許文献４には、外部装置内の記憶媒体に記憶されているデータを入力して記憶し、記憶完了後は当該記憶媒体に記憶されているデータを消去するデータ管理システムが開示されている。この技術によると、自動的に記憶媒体に記憶されているデータを転送して保存することができる。また、保存後のデータを自動的に記憶媒体から消去することができるため、データ管理が容易になる。
【特許文献１】特開２０００−８３１９１号公報
【特許文献２】特開２００４−２４７７９５号公報
【特許文献３】特開２００４−３２６２５３号公報
【特許文献４】特開２００２−３０５７１４号公報
【発明の開示】
【発明が解決しようとする課題】
【０００７】
しかしながら、上記技術では、外部記録媒体に記録された画像データに基づいて、ユーザが希望する内容のアルバムディスクを作成することができない。
【０００８】
本発明は、上記のような問題を解決するためになされたものであって、その目的は、外部から入力される画像データに基づいて、所望のアルバムディスクを作成することのできる映像データ記録装置を提供することである。
【課題を解決するための手段】
【０００９】
この発明のある局面に従う映像データ記録装置は、ユーザによる操作が可能な操作手段と、各種データを記録するための着脱可能なディスク媒体と、外部記録媒体から複数の画像データを入力するための入力手段と、操作手段からの指示に基づいて、複数の画像データに関するアルバム参照情報を作成するための作成手段とを備え、作成手段は、入力手段より少なくとも１つの音楽データが入力されるか否かを判断するための判断手段と、判断手段により音楽データが入力されると判断された場合に、音楽データを指定するための音楽指定手段と、複数の画像データについての編集を行なうための編集手段とを含み、編集手段は、複数の画像データの順番を設定するための順番設定手段と、複数の画像データの回転角度を設定するための角度設定手段と、複数の画像データの切替時間を設定するための時間設定手段とを有し、作成手段により作成されたアルバム参照情報に基づいて、複数の画像データのうち少なくとも一部の画像データを映像データに変換するための変換手段と、変換手段により変換された映像データをディスク媒体に書き込むための書き込み手段とをさらに備える。
【００１０】
この発明の他の局面に従う映像データ記録装置は、ユーザによる操作が可能な操作手段と、各種データを記録するためのディスク媒体と、外部記録媒体から複数の画像データを入力するための入力手段と、操作手段からの指示に基づいて、複数の画像データに関するアルバム参照情報を作成するための作成手段とを備え、作成手段は、複数の画像データについての編集を行なうための編集手段を含み、作成手段により作成されたアルバム参照情報に基づいて、複数の画像データのうち少なくとも一部の画像データを映像データに変換するための変換手段と、変換手段により変換された映像データをディスク媒体に書き込むための書き込み手段とをさらに備える。
【００１１】
好ましくは、ディスク媒体は、着脱可能な媒体である。
【００１２】
好ましくは、編集手段は、複数の画像データの順番を設定するための順番設定手段を有する。
【００１３】
好ましくは、編集手段は、複数の画像データの回転角度を設定するための角度設定手段を有する。
【００１４】
好ましくは、編集手段は、複数の画像データの切替時間を設定するための時間設定手段を有する。
【００１５】
好ましくは、作成手段は、入力手段より少なくとも１つの音楽データが入力されるか否かを判断するための判断手段と、判断手段により音楽データが入力されると判断された場合に、音楽データを指定するための音楽指定手段とをさらに含む。
【００１６】
好ましくは、ディスク媒体に書き込まれた映像データを再生するための再生手段をさらに備える。
【００１７】
好ましくは、放送信号に基づく映像データを受信するための受信手段をさらに備え、書き込み手段は、さらに、受信手段により受信された放送信号に基づく映像データをディスク媒体に書き込む。
【００１８】
好ましくは、編集手段による複数の画像データの編集に際して、複数の画像データをそれぞれ縮小して表示するか、複数の画像データを特定するための画像特定情報を一覧表示するかをユーザに選択させるための表示選択手段と、表示選択手段による選択結果に基づき、表示のための信号を生成するための生成手段とをさらに備える。
【００１９】
好ましくは、作成手段によるアルバム参照情報の作成処理が終了した場合に、アルバム参照情報に基づいてディスク媒体への記録を行なうか否かをユーザに選択させるための選択手段をさらに備える。
【００２０】
好ましくは、選択手段によりディスク媒体への記録を行なわないことが選択された場合に、作成手段により作成されたアルバム参照情報を記憶するための記憶手段をさらに備える。
【００２１】
好ましくは、選択手段によりディスク媒体への記録を行なわないことが選択された場合には、作成手段により作成されたアルバム参照情報を、入力手段を介して外部記録媒体に転送する。
【発明の効果】
【００２２】
本発明によると、外部記録媒体から入力される複数の画像データのうち少なくとも一部の画像データを、映像データとしてディスク媒体に記録することができる。また、ユーザは、複数の画像データについての編集ができるため、ユーザが所望するアルバムディスクを作成することができる。
【発明を実施するための最良の形態】
【００２３】
本発明の実施の形態について図面を参照しながら詳細に説明する。なお、図中同一または相当部分には同一符号を付してその説明は繰返さない。
【００２４】
［実施の形態１］
図１〜図３を参照して、本発明の実施の形態１に係る映像データ記録装置の一態様であるＤＶＤ（Digital Versatile Disk）レコーダ１００について説明する。
【００２５】
図１は、ＤＶＤレコーダ１００の適用例について説明するための図である。図１を参照して、ＤＶＤレコーダ１００には、デジタルカメラ２００により撮影された静止画像データ（以下「画像データ」という）が格納された外部記録媒体、たとえばメモリカード１４２がスロット１４０ａに挿入可能である。メモリカード１４２としては、たとえば、スマートメディア（登録商標）、ＳＤカード（登録商標）およびその他の板状半導体メモリカードが適用可能である。このメモリカード１４２には、画像データを管理するためのファイル情報が格納される。本実施の形態において、メモリカード１４２は、音楽データも格納可能であるものとする。なお、音楽データには、音声データが含まれるものとする。
【００２６】
また、ＤＶＤレコーダ１００には、動画像データ（以下「映像データ」という）が格納可能なディスク媒体、たとえばＤＶＤ１７２が挿入口１７０ａに挿入可能である。ＤＶＤ１００には、伝送ケーブル１９２を介してテレビ受像機（以下「テレビ」という）４００が接続される。テレビ４００には、画像や映像など各種データを表示することのできるモニタ４００ａおよび音楽を出力可能な図示しないスピーカ等が備えられる。
【００２７】
ＤＶＤ１７２の前面には、ユーザによる操作が可能な操作部１２２、および、ＤＶＤレコーダ１００の作動状態を表わす情報を表示するための表示部１２８が備えられる。また、ＤＶＤ１７２は、ユーザが遠隔操作可能なリモコン装置１８０からの指示を、内蔵されている受光部１２４を介して受信することができる。なお、表示部１２８に表示される作動状態とは、たとえば、ＤＶＤレコーダ１００における時刻情報や録画状況等である。また、リモコン装置１８０には、各種指示を入力するための複数のキーが備えられており、少なくとも、ＤＶＤレコーダ１００の電源をＯＮ／ＯＦＦするための電源キー、ＤＶＤレコーダ１００の各種メニューをモニタ４００ａに表示させるためのメニューキー、モニタ４００ａに表示されるカーソルなどのポインタを上下左右のそれぞれの方向に移動させるためのカーソルキー、および操作を決定するための決定キーが含まれているものとする。
【００２８】
図２は、ＤＶＤレコーダ１００のハードウェア構成を表わすブロック図である。ＤＶＤレコーダ１００は、上記した操作部１２２、受光部１２４および表示部１２８に加え、各種データおよびプログラムを格納するためのメモリ１１２と、格納されているデータおよび外部から入力される指示に基づいて予め定められた処理を実行するためのシステム制御部１１０と、時刻を計測して信号をシステム制御部１１０に出力するための計時回路１２６とを備える。受光部１２４は、リモコン装置１８０からのリモコン信号を受信して所定の制御信号をシステム制御部１１０に出力する。
【００２９】
ＤＶＤレコーダ１００はさらに、アンテナ１９０と、受信された電波から所定の電波を選択するためのチューナ１３０と、スロット１４０ａに装着されるメモリカード１４２に対してデータの記録および読み出しをするためのメモリカードドライブ１４０と、後述のＭＰＥＧ（Moving Picture Experts Group）エンコーダ１５２と、ＤＶＤ１７２を駆動して映像データや音楽データを記録したり再生したりするためのＤＶＤ駆動装置１７０と、圧縮されている映像および音楽データを復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像および音楽データを出力するための出力部１６８とを備える。
【００３０】
ＭＰＥＧエンコーダ１５２は、システム制御部１１０からの指令の元で、変換処理および圧縮処理を行なう。「変換処理」とは、メモリカードドライブ１４０から入力される画像データを映像データに変換することをいう。また、「圧縮処理」とは、入力される映像データおよび音楽データを所定の処理に基づいて圧縮することをいう。
【００３１】
なお、本実施の形態においては、外部記録媒体の一例としてメモリカード１４２を用いて説明するが、これに限られない。たとえば、デジタルカメラ２００を外部記録媒体としてもよい。この場合、メモリカードドライブ１４０に代えて、たとえばＵＳＢインターフェイスを備え、ＵＳＢインターフェイスを介してデジタルカメラ２００との間でデータの送受信を行なう。
【００３２】
図２に示したように、ＤＶＤレコーダ１００は、アンテナ１９０およびチューナ１３０を備え、放送信号も受信可能である。したがって、ユーザは、ＤＶＤレコーダ１００を用いて、放送番組をＤＶＤ１７２に録画することもできる。このように、放送番組を録画可能とすることで、電子アルバムを作成する機能のみを備えたものに比べて有用性を向上させることができる。なお、必ずしもアンテナ１９０およびチューナ１３０を備えなくてもよい。
【００３３】
図３は、本発明の実施の形態１のＤＶＤレコーダ１００におけるシステム制御部１１０の機能ブロック図である。図３を参照して、システム制御部１１０は、後述するアルバム参照テーブルを作成するための参照テーブル作成部１１００と、作成したアルバム参照テーブルに基づいてアルバムディスク（ＤＶＤ１７２）の作成処理を実行するか否かをユーザに選択させるための処理選択部１１０８と、アルバムディスク（ＤＶＤ１７２）を作成するための処理を行なうディスク作成処理部１１０９と、アルバム参照テーブルの後述する記憶処理を行なう記憶処理部１１１０とを備える。
【００３４】
参照テーブル作成部１１００は、メモリカード１４２から入力されるデータに基づいて、たとえばメモリ１１２内のＲＡＭ（Random Access Memory）（図示せず）に、アルバム参照テーブルを作成する。
【００３５】
ここで、「アルバム参照テーブル」とは、メモリカード１４２に格納されている複数の画像データに基づいてスライドショー形式の電子アルバムを作成するために必要な参照情報により構成されるテーブルであり、少なくとも画像データがスライド表示される順番を示す順番情報を含み、好ましくは、順番情報に加えて、画像データの向きすなわち回転角度を示す角度情報、および、画像データが各々スライド表示される時間すなわち次の画像データへの切替時間を示す時間情報がさらに含まれる。また、アルバム参照テーブルには、電子アルバムのバックミュージックとして採用される音楽データの参照情報が含まれてもよい。なお、このように、本実施の形態では、メモリカード１４２に格納されている画像データや音楽データの参照情報は、テーブル形式で記憶されるものとして説明するが、電子アルバム作成のために必要な参照情報が記憶できればテーブル形式でなくてもよい。
【００３６】
再び図３を参照して、参照テーブル作成部１１００は、メモリカード１４２より入力される複数の画像データの編集（以下「アルバム編集」という）を行なうための編集部１１０１と、メモリカード１４２に少なくとも１つの音楽データがさらに格納されているか否かを判断するための判断部１１０５と、格納されている音楽データを指定するための音楽指定部１１０６とを含む。
【００３７】
本発明の実施の形態１において、編集部１１０１は、複数の画像データの順番を設定するための順番設定部１１０２と、複数の画像データの回転角度を設定するための角度設定部１１０３と、複数の画像データの切替時間を設定するための時間設定部１１０４とを有する。
【００３８】
判断部１１０５は、複数の画像データが格納されているメモリカード１４２に、さらに音楽データが格納されているかを判断する。なお、複数の画像データが格納されているメモリカード１４２以外の外部記録媒体から音楽データを入力可能か否かを判断してもよい。
【００３９】
音楽指定部１１０６は、メモリカード１４２に少なくとも１つの音楽データが格納されていると判断された場合、スライドショーのバックミュージックとしての音楽データをユーザに指定させる。この際、たとえば、はじめに、バックミュージックとして音楽データを設定するか否かをユーザに問い合わせて、ユーザにより設定することが選択された場合に、音楽データを指定させてもよい。なお、ここでは、ユーザにより指定される音楽データは１曲であることとして説明するが、２以上の音楽データが指定されることとしてもよい。
【００４０】
このように、本発明の実施の形態１においては、アルバム参照テーブルの参照情報には、複数の画像データに関する参照情報として、画像データの順番情報、角度情報および時間情報が含まれ、さらに、所定の条件を満たすことで音楽データへの参照情報も含まれる。なお、複数の画像データに関する参照情報に、上記した３つの情報以外の情報を含めることとしてもよい。また、切替時間については、予め設定されていてもよい。
【００４１】
処理選択部１１０８は、たとえば、モニタ４００ａに可能な複数の処理をボタン表示などさせて、いずれかの処理を選択するようユーザに対して報知する。本発明の実施の形態１では、可能な複数の処理として、アルバムディスク作成処理の他に、たとえば、アルバム参照テーブルの記憶処理が選択可能であるものとする。ユーザによりアルバムディスク作成処理が選択された場合には、ディスク作成処理部１１０９による処理が行なわれる。一方、ユーザによりアルバム参照テーブルの記憶処理が選択された場合には、記憶処理部１１１０による処理が行なわれる。
【００４２】
ディスク作成処理部１１０９は、処理選択部１１０８からの信号に基づき、アルバムディスク作成処理を行なう。すなわち、ディスク作成処理部１１０９は、アルバム参照テーブルを参照して、メモリカード１４２に格納された複数の画像データのうち少なくとも一部の（複数の）画像データを読み出して、それらの画像データに基づく映像データをＤＶＤ１７２に記録する処理を行なう。また、アルバム参照テーブルに音楽データへの参照情報が格納されている場合には、その音楽データを読み出して、ＤＶＤ１７２に記録する処理を行なう。このように、メモリカード１４２に格納された複数の画像データ（および音楽データ）に基づいて、配布可能なアルバムディスク（ＤＶＤ１７２）が作成される。
【００４３】
記憶処理部１１１０は、処理選択部１１０８からの信号に基づき、アルバム参照テーブルを、メモリ１１２内の所定の別領域に記憶する。たとえば、上記ＲＡＭ内の他の領域や、メモリ１１２内の書き込み可能なＲＯＭたとえばＥＥＰＲＯＭ（Electrically Erasable Programmable Read Only Memory）など）などに、記憶する。あらためてアルバム参照テーブルを作成することなく、アルバムディスク作成処理のみを実行することができる。また、この際、メモリカード１４２を特定するための識別情報と、アルバム参照テーブルとを対応付けて格納させておくことが好ましい。そうすることで、メモリカード１４２を抜いた後でも、スロット１４０ａに挿入されたメモリカード１４２から識別情報を読み出して、対応するアルバム参照テーブルを特定することができる。本実施の形態では、記憶処理部１１１０は、メモリ１１２内のＲＯＭにアルバム参照テーブルを記憶させるものとして説明する。
【００４４】
なお、本実施の形態では、メモリ１１２内にメモリカード１４２の識別情報と対応付けてアルバム参照テーブルを記憶しておくものとして説明するが、メモリカード１４２自体にアルバム参照テーブルを転送することとしてもよい。この場合、アルバム参照テーブルの元となる複数の画像データや音楽データが格納されているメモリカード１４２にアルバム参照テーブルを記憶させておくことができるため、一旦、スロット１４０ａからメモリカード１４２を抜いたとしても、あらためてアルバム参照テーブルを作成することなく、アルバムディスク作成処理のみを実行することができる。
【００４５】
なお、図３に示される各ブロックの動作は、メモリ１１２中に格納されたソフトウェアを実行することで実現されてもよいし、少なくとも一部については、ハードウェアで実現されてもよい。
【００４６】
次に、図４のフローチャートを用いて、本発明の実施の形態１のＤＶＤレコーダ１００におけるシステム制御部１１０が実行するディスク編集処理について説明する。なお、図４に示すディスク編集処理は、たとえば、ユーザによりリモコン装置１８０が操作されてディスク編集メニューが選択された場合に開始される処理であるものとする。また、「ディスク編集処理」とは、本実施の形態においてはＤＶＤ１７２に関する編集処理であり、編集処理には、ＤＶＤ１７２への（放送番組の）録画は含まないものとする。
【００４７】
図４を参照して、システム制御部１１０は、受光部１２４からの信号に基づき、ディスク編集メニューをモニタ４００ａに表示する（Ｓ１０２）。ディスク編集メニューの表示例を図５に示す。図５を参照して、モニタ４００ａには、ディスク編集メニューの内容がボタン表示され、たとえば、“ディスク名変更”を選択するためのボタン３．１、“シーンの編集・削除”を選択するためのボタン３．２、および“スライドショー作成”を選択するためのボタン３．３などが表示される。
【００４８】
次に、システム制御部１１０は、ユーザにより“スライドショー作成”が選択されたか否かを判断する（Ｓ１０４）。ユーザにより“スライドショー作成”が選択されなかったと判断した場合（Ｓ１０４においてＮＯ）、他のディスク編集、すなわちたとえば“ディスク名変更”や“シーンの編集・削除”などが実行される（Ｓ１３２）。なお、“ディスク名変更”および“シーンの編集・削除”などの処理については公知であるため、ここでの説明は行なわない。
【００４９】
これに対して、ユーザにより“スライドショー作成”が選択されたと判断した場合（Ｓ１０４においてＹＥＳ）、システム制御部１１０は、メモリ１１２内のＲＯＭに、アルバム参照テーブルが格納されているか否かを判断する（Ｓ１０５）。アルバム参照テーブルが格納されていると判断した場合（Ｓ１０５においてＹＥＳ）、後述するステップＳ１２２へ進む。メモリカード１４２にアルバム参照テーブルが格納されていないと判断した場合（Ｓ１０５においてＮＯ）、ステップＳ１０６へ進む。
【００５０】
ステップＳ１０６において、システム制御部１１０は、メモリ１１２内のＲＡＭ内にアルバム参照テーブルの領域を確保し、初期化する。
【００５１】
次に、システム制御部１１０は、スロット１４０ａに装着されているメモリカード１４２の記録内容を読み取る（Ｓ１０７）。なお、メモリカード１４２の記録内容には、少なくとも複数の画像データ、および、それらの画像データを各々特定するための画像ファイル情報が含まれているものと想定する。画像ファイル情報には、たとえば、ファイル名、撮影日時、サイズなどの情報が含まれているものとする。
【００５２】
次に、システム制御部１１０は、画像データの表示方法選択画面をモニタ４００ａに表示する（Ｓ１０８）。表示方法選択画面の表示例を図６に示す。図６を参照して、モニタ４００ａには、たとえば“表示方法を選択して下さい。”というメッセージＭ４が表示され、その下に、“サムネイル表示”を選択するためのボタン４．１および“リスト表示”を選択するためのボタン４．２が表示される。“サムネイル表示”とは、メモリカード１４２に格納されている複数の画像をそれぞれ縮小して表示させることをいい、“リスト表示”とは、上記画像ファイル情報のたとえばファイル名を、一覧表示させることをいう。
【００５３】
続いて、システム制御部１１０は、表示方法として“サムネイル表示”および“リスト表示”のうちいずれが選択されたかを判断する（Ｓ１１０）。“サムネイル表示”が選択されたと判断した場合、複数の画像データをサムネイル表示させる（Ｓ１１２）。一方、“リスト表示”が選択されたと判断した場合、画像ファイル情報のファイル名をリスト表示させる（Ｓ１１４）。
【００５４】
上記ステップＳ１１２およびＳ１１４のいずれかの処理を終了すると、それぞれの表示方法においてアルバム編集処理を実行する（Ｓ１１６）。このアルバム編集処理については、図７を用いて詳細に説明する。
【００５５】
なお、以下の説明においては、ステップＳ１１２の処理を経た場合、すなわち、複数の画像データがサムネイル表示されている場合を想定する。
【００５６】
ここで、ステップＳ１１２においてモニタ４００ａに表示される画面の一例を図８に示す。図８を参照して、モニタ４００ａの表示領域１０には、複数の画像データのサムネイル画像が所定数（たとえば９個）表示される。また、表示領域１０の上部の所定の領域に、確定ボタン２０が表示される。表示領域１０の右側の所定の領域に、順番ボタン３０、方向ボタン４０、および時間ボタン５０が表示される。
【００５７】
なお、以下の説明においては、メモリカード１４２には、画像データＡ〜Ｉが格納されていたものとし、表示領域１０には、それらに対応するサムネイル画像Ａ〜Ｉが表示されているものとする。また、画像データＡ〜Ｉの順番は、メモリカード１４２の画像ファイル情報で管理されている順番であるものとする。したがって、メモリカード１４２において、複数の画像データが、画像ファイル情報に含まれる撮影日時の順に管理されているとすると、図８におけるサムネイル画像Ａ〜Ｉは、撮影日時の順に表示されているものである。
【００５８】
図７を参照して、はじめに、編集部１１０１は、順番ボタン３０が選択されたか否かを判断する（Ｓ２０２）。順番ボタン３０が選択されたと判断した場合（Ｓ２０２においてＹＥＳ）、後に図９を用いて説明する順番設定処理が実行される（Ｓ２０４）。この処理が終了すると、ステップＳ２０６へ進む。
【００５９】
順番ボタン３０が選択されなかったと判断した場合（Ｓ２０２においてＮＯ）、ステップＳ２０６へ進む。
【００６０】
ステップＳ２０６において、編集部１１０１は、方向ボタン４０が選択されたか否かを判断する。方向ボタン４０が選択されたと判断した場合（Ｓ２０６においてＹＥＳ）、後に図１１を用いて説明する角度設定処理が実行される（Ｓ２０８）。この処理が終了すると、ステップＳ２１０へ進む。
【００６１】
方向ボタン４０が選択されなかったと判断した場合（Ｓ２０６においてＮＯ）、ステップＳ２１０へ進む。
【００６２】
ステップＳ２１０において、編集部１１０１は、時間ボタン５０が選択されたか否かを判断する。時間ボタン５０が選択されたと判断した場合（Ｓ２１０においてＹＥＳ）、後に図１３を用いて説明する時間設定処理が実行される（Ｓ２１２）。この処理が終了すると、ステップＳ２１４へ進む。
【００６３】
時間ボタン５０が選択されなかったと判断した場合（Ｓ２１０においてＮＯ）、ステップＳ２１４へ進む。
【００６４】
ステップＳ２１４において、編集部１１０１は、確定ボタン１０が選択されたか否かを判断する。確定ボタン１０が選択されたと判断した場合（Ｓ２１４においてＹＥＳ）、ステップＳ２１６へ進む。一方、確定ボタン１０が選択されなかったと判断した場合（Ｓ２１４においてＮＯ）、ステップＳ２０２へ戻る。
【００６５】
ステップＳ２１６において、編集部１１０１は、画像データについての順番設定および時間設定が済んでいるか否かを判断する。順番設定および時間設定が済んでいなければ（Ｓ２１６においてＮＯ）、報知画面をモニタ４００ａに表示する（Ｓ２１８）。ここで表示される報知画面としては、たとえば、“画像の順番および時間の設定を行なって下さい。”というようなメッセージが想定される。なお、ステップＳ２１８において、たとえば、いずれの処理が未設定かを検知して、未設定の処理のみを行なうよう指示することが好ましい。また、たとえば、時間設定が行なわれていなければ、予め定められた時間を切替時間としてアルバム参照テーブルに格納してもよい。また、たとえば、順番設定が行なわれていなければ、画像データＡ〜Ｉそのままの順番をアルバム参照テーブルに格納してもよい。
【００６６】
一方、ステップＳ２１６において、画像データの順番設定および時間設定が済んでいると判断された場合（Ｓ２１６においてＹＥＳ）、アルバム編集処理を終了する。すなわち、図４のステップＳ１１８へ移行する。
【００６７】
なお、このように、本発明の実施の形態１では、順番ボタン３０、方向ボタン、時間ボタン、確定ボタン１０の順で選択されたか否かを判断することとしたが、このような順に限らない。
【００６８】
また、本実施の形態においては、後に説明する順番設定、角度設定および時間設定を一度だけ行なうことができるものとする。したがって、たとえば、終了済みの処理に対応するボタンは、再度選択できないように、グレー表示等される。なお、終了済みの処理を再度やり直しできるようにしてもよく、この場合は、それぞれの処理の開始時に、以前の処理をリセットするか、リセットせずに続行するかを選択できることが好ましい。
【００６９】
また、後に説明する順番設定、角度設定および時間設定の各々の処理において、設定した操作のやり直しについては考慮しないものとする。なお、実際には、設定した操作を１つ戻せるように、たとえばモニタ４００ａに戻るボタン（図示せず）を表示させることが好ましい。
【００７０】
次に、図９のフローチャートを用いて、順番設定処理について説明する。
【００７１】
図９を参照して、はじめに、順番設定部１１０２は、１つの画像が選択されたか否かを判断する（Ｓ３０２）。画像が選択されるまで待機する（Ｓ３０２においてＮＯ）。画像の選択は、たとえば、ユーザがリモコン装置１８０のカーソルキーおよび決定キーを操作することで行なわれる。
【００７２】
ステップＳ３０２において、画像が選択されたと判断した場合（Ｓ３０２においてＹＥＳ）、順番設定部１１０２は、選択された順に番号を設定する（Ｓ３０４）。すなわち、ステップＳ３０２において、初めて画像が選択されると、その画像の番号として、１番が設定される。次に画像が選択されると、その画像の番号として、２番が設定される。
【００７３】
次に、ステップＳ３０４で設定された番号を、モニタ４００ａに表示させる（Ｓ３０６）。また、ステップＳ３０４で設定された番号を、ステップＳ３０２で選択された画像データの画像ファイル名と対応付けて、アルバム参照テーブルに記憶させる（Ｓ３０８）。
【００７４】
ステップＳ３０８の処理が終了すると、他のボタン（確定ボタン２０，方向ボタン４０，時間ボタン５０）が操作されたか否かを判断する（Ｓ３１０）。他のボタンが操作されるまで（Ｓ３１０においてＮＯ）、上記Ｓ３０２〜Ｓ３０８の処理を繰り返す。
【００７５】
一方、他のボタンが操作されたことを検知すると（Ｓ３１０においてＹＥＳ）、この順番設定処理を終了する。すなわち、図７のステップＳ２０６へ移行する。
【００７６】
ここで、順番設定処理の際に、モニタ４００ａに表示される画面の一例を図１０に示す。なお、図１０には、未だ、後述する角度設定が行なわれていない場合の一例が示されているものとする。図１０を参照すると、順番ボタン３０がたとえば点灯表示され、順番設定処理が実行されていることが示される。表示領域１０内の各サムネイル画像のたとえば上部には、設定された番号が表示される。また、ステップＳ３０２〜Ｓ３０８の処理が済んでいることが分かるように、設定された番号が表示されているサムネイル画像は、たとえば太枠にて表示される。
【００７７】
次に、図１１のフローチャートを用いて、角度設定処理について説明する。
【００７８】
図１１を参照して、はじめに、角度設定部１１０３は、モニタ４００ａの所定の領域にサブメニューを表示する（Ｓ４０２）。ここで、角度設定処理の際に、モニタ４００ａに表示される画面の一例を図１２に示す。なお、図１２には、既に、順番設定が行なわれている場合の一例が示されているものとする。
【００７９】
図１２を参照すると、方向ボタン４０がたとえば点灯表示され、角度設定処理が実行されていることが示される。そして、モニタ４００ａの表示領域６０には、画像の回転角度のサブメニューが表示される。図１２においては、表示領域６０内に、たとえば“９０°”，“１８０°”，“２７０°”の３つの回転角度を指定するためのボタンが表示される。
【００８０】
再び図１１を参照して、角度設定部１１０３は、次に、１つの画像が選択されたか否かを判断する（Ｓ４０４）。画像が選択されるまで待機する（Ｓ４０４においてＮＯ）。
【００８１】
ステップＳ４０４において、画像が選択されたと判断した場合（Ｓ４０４においてＹＥＳ）、角度設定部１１０３は、選択された画像の回転角度の指示を受け付ける（Ｓ４０６）。すなわち、ユーザが、リモコン装置１８０を操作することで選択した回転角度の情報を、受光部１２４を介して取得する。そして、受け付けた回転角度に応じて、選択中のサムネイル画像を回転表示させる（Ｓ４０８）。たとえば図１２の画像Ｃは、９０°回転表示された例を示しており、画像Ｅは、２７０°回転表示された例を示している。
【００８２】
そして、ステップＳ４０６で受け付けた角度を、ステップＳ４０４で選択された画像データのファイル名と対応付けて、アルバム参照テーブルに記憶させる（Ｓ４１０）。
【００８３】
ステップＳ４１０の処理が終了すると、他のボタン（確定ボタン２０，順番ボタン３０，時間ボタン５０）が操作されたか否かを判断する（Ｓ４１２）。他のボタンが操作されるまで（Ｓ４１２においてＮＯ）、上記Ｓ４０４〜Ｓ４１０の処理を繰り返す。
【００８４】
一方、他のボタンが操作されたことを検知すると（Ｓ４１２においてＹＥＳ）、この角度設定処理を終了する。すなわち、図７のステップＳ２１０へ移行する。
【００８５】
次に、図１３のフローチャートを用いて、時間設定処理について説明する。
【００８６】
図１３を参照して、はじめに、時間設定部１１０４は、モニタ４００ａの所定の領域にサブメニューを表示する（Ｓ５０２）。ここで、時間設定処理の際に、モニタ４００ａに表示される画面の一例を図１４に示す。なお、図１４には、既に、順番設定および角度設定が行なわれている場合の一例が示されているものとする。
【００８７】
図１４を参照すると、時間ボタン５０がたとえば点灯表示され、時間設定処理が実行されていることが示される。そして、モニタ４００ａの表示領域７０には、画像の切替時間のサブメニューが表示される。図１４においては、表示領域７０内に、たとえば“１秒”，“２秒”，“３秒”，“５秒”の４つの切替時間を指定すためのボタンが表示される。
【００８８】
再び図１３を参照して、時間設定部１１０４は、次に、切替時間の指示を受け付ける（Ｓ５０４）。すなわち、ユーザが、リモコン装置１８０を操作することで選択した切替時間の情報を、受光部１２４を介して取得する。
【００８９】
そして、受け付けた切替時間を、各画像データのファイル名と対応付けて、アルバム参照テーブルに記憶させる（Ｓ５０６）。
【００９０】
このように、本実施の形態では、画像データの切替時間を一括に選択できるため、操作が簡単である。また、操作の時間を短縮することができる。なお、本実施の形態において、画像データの切替時間として、一括選択することとしたが、画像データごとに、切替時間を選択するものであってもよい。このようにすることで、より趣向に合ったアルバムディスク（ＤＶＤ１７２）を作成することが可能となる。
【００９１】
ステップＳ５０６の処理が終了すると、他のボタン（確定ボタン２０，順番ボタン３０，方向ボタン４０）が操作されたか否かを判断する（Ｓ５０８）。他のボタンが操作されるまで待機する（Ｓ５０８においてＮＯ）。
【００９２】
一方、他のボタンが操作されたことを検知すると（Ｓ５０８においてＹＥＳ）、この時間設定処理を終了する。すなわち、図７のステップＳ２１４へ移行する。
【００９３】
以上で、本発明の実施の形態１におけるアルバム編集処理についての説明を終了する。
【００９４】
再び図４に戻って、上述のアルバム編集処理（Ｓ１１６）が終了すると、次に、判断部１１０５によって、メモリカード１４２に音楽データが格納されているか否かが判断される（Ｓ１１８）。音楽データが格納されていないと判断された場合（Ｓ１１８においてＮＯ）、ステップＳ１２２に進む。一方、音楽データが格納されていると判断した場合（Ｓ１１８においてＹＥＳ）、音楽指定処理が実行される（Ｓ１２０）。
【００９５】
音楽指定処理について、図１５のフローチャートを用いて説明する。
【００９６】
図１５を参照して、音楽指定部１１０６は、モニタ４００ａにＢＧＭ設定画面を表示する（Ｓ６０２）。ＢＧＭ設定画面の表示例を、図１６に示す。
【００９７】
図１６を参照して、モニタ４００ａの表示領域８０には、メモリカード１４２に格納されている音楽データのファイル名が、たとえば一覧表示される。また、ＢＧＭを設定しないことも可能とするために、“ＢＧＭを設定しない”というボタン１６．２が表示される。なお、はじめにＢＧＭを設定するか否かをユーザに選択させて、ＢＧＭを設定するとの指示が入力されてから、メモリカード１４２に格納されている音楽データのファイル名を一覧表示してもよい。
【００９８】
再び図１５を参照して、音楽指定部１１０６は、次に、音楽データが指定されたか否かを判断する（Ｓ６０４）。音楽データが指定されたと判断した場合（Ｓ６０４においてＹＥＳ）、アルバム参照テーブル内の、指定された音楽データの対応する欄に「１」を格納する（Ｓ６０６）。ステップＳ６０６の処理が終わると、音楽指定処理は終了される。
【００９９】
また、音楽データが指定されなかったと判断した場合（Ｓ６０４においてＮＯ）、音楽指定処理を終了する。すなわち、図４のステップＳ１２２に移行する。
【０１００】
ここで、上述のアルバム編集処理（Ｓ１１６）および音楽指定処理（Ｓ１２０）が終了した場合のアルバム参照テーブルの構造例を図１７に示す。なお、アルバム参照テーブルのうち、画像参照情報テーブルを図１７（ａ）に示し、音楽参照情報テーブルを図１７（ｂ）に示す。
【０１０１】
図１７（ａ）を参照して、画像参照情報テーブルには、画像ファイル名１７．１に対応付けて、順番１７．２、角度１７．３および時間１７．４の情報が格納される。画像ファイル名１７．１の列には、メモリカード１４２に格納されている全ての画像データのファイル名が、たとえば撮影日時の順に記憶されている。
【０１０２】
たとえば、画像ファイル名“Ａ．ｊｐｇ”には、順番１７．２として“１”、角度１７．３として“−”、時間１７．４として“３”が対応付けられて記憶されている。画像ファイル名“Ａ．ｊｐｇ”により特定される画像データは、１番目に表示されること、回転はさせないこと、および次の画像への切替時間すなわちスライド表示される時間が３秒であることを表わす。
【０１０３】
また、たとえば、画像ファイル名“Ｅ．ｊｐｇ”には、順番１７．２として“５”、角度１７．３として“２７０”、時間１７．４として“３”が対応付けられて記憶されている。画像ファイル名“Ｅ．ｊｐｇ”により特定される画像データは、５番目に表示されること、時計回りに２７０°回転させること、および次の画像への切替時間すなわちスライド表示される時間が３秒であることを表わす。
【０１０４】
また、たとえば、画像ファイル名“Ｇ．ｊｐｇ”には、順番１７．２として“−”、角度１７．３として“−”、時間１７．４として“３”が対応付けられて記憶されている。画像ファイル名“Ｇ．ｊｐｇ”により特定される画像データは、表示されないことを表わす。
【０１０５】
なお、図１７（ａ）に示すような構造に限らず、たとえば、画像ファイル名１７．１の領域には、順番設定処理によって順番が設定された画像データのファイル名のみを、順に記憶してもよい。また、本実施の形態において、切替時間は一律であるので、時間１７．４を別領域に格納してもよい。
【０１０６】
図１７（ｂ）を参照して、音楽参照情報テーブルには、音楽ファイル名１７．５に対応付けて、指定されたか否かを示す指定の有無１７．６の情報が格納される。
【０１０７】
たとえば、音楽ファイル名“ｘｙｚ．ｍｐ３”には、指定の有無１７．６として“−”が対応付けられて記憶されている。音楽ファイル名“ｘｙｚ．ｍｐ３”により特定される音楽データは、ＢＧＭに設定されていなことを表わす。
【０１０８】
また、たとえば、音楽ファイル名“ａｂｃ．ｍｐ３”には、指定の有無１７．６として“１”が対応付けられて記憶されている。音楽ファイル名“ａｂｃ．ｍｐ３”により特定される音楽データは、ＢＧＭに設定されていることを表わす。
【０１０９】
再び図４を参照して、ステップＳ１２２において、処理選択部１１０８によって、処理選択画面が表示される。処理選択画面の表示例を図１８に示す。図１８を参照して、モニタ４００ａには、たとえば“いずれかの処理を選択して下さい”というメッセージＭ１８が表示され、その下に、“ディスク作成”を選択するためのボタン１８．１および“アルバム参照テーブル保存”を選択するためのボタン１８．２が表示される。
【０１１０】
次に、処理選択部１１０８は、ユーザにより“ディスク作成”の指示が入力されたか否かを判断する（Ｓ１２４）。“ディスク作成”の指示が入力されたと判断した場合（Ｓ１２４においてＹＥＳ）、ディスク作成処理部１１０９により、アルバム参照テーブルを参照して、アルバムディスク（ＤＶＤ１７２）の作成が行なわれる（Ｓ１２６）。なお、上記ステップＳ１０５において、アルバム参照テーブルがメモリ１１２のＲＯＭに格納されていると判断されてこの処理が行なわれた場合には、アルバムディスクの作成が終了すると、ＲＯＭ内のアルバム参照テーブルを消去するものとする。
【０１１１】
一方、“アルバム参照テーブル保存”が選択された場合、すなわち“ディスク作成”の指示ではなかった場合（Ｓ１２４においてＮＯ）、記憶処理部１１１０により、アルバム参照テーブルと、対象のメモリカード１４２の識別情報とがメモリ１１２内のＲＯＭに転送されて、保存される（Ｓ１２８）。
【０１１２】
以上で、一連のディスク編集処理の説明を終了する。
【０１１３】
上述のように、本実施の形態におけるＤＶＤレコーダ１００によると、ユーザが自由に画像データの順番や切替時間を設定することができる。また、ハードディスクを内蔵していなくても、複数の画像データ（および音楽データ）に基づいて、映像データ（および音楽データ）からなる配布可能なアルバムディスク（ＤＶＤ１７２）を作成することができる。さらに、ＤＶＤレコーダ１００は、ＤＶＤ１７２に格納された映像および音楽データの再生もできるため、アルバムディスクを再生することで、静止画を映像として楽しむことができる。
【０１１４】
なお、本実施の形態では、はじめにアルバム編集処理（Ｓ１１６）を行なってから、音楽指定処理（Ｓ１２０）を行なうこととしたが、このような手順でなくてもよい。たとえば、ユーザにいずれの処理を行なうかを自由に選択させてもよい。この場合、上記ステップＳ１１２においてモニタ４００ａに表示される画面は、たとえば図１９に示されるような画面とすることができる。
【０１１５】
図１９を参照して、モニタ４００ａの表示領域１０には、実施の形態１と同様に、複数の画像データのサムネイル画像が所定数（たとえば９個）表示される。また、表示領域１０の上部の所定の領域に、確定ボタン２０が表示される。これに対し、実施の形態１において表示されていた順番ボタン３０、方向ボタン４０および時間ボタン５０は表示されず、かわりに、アルバム編集ボタン２０１および音楽ボタン２０２が表示される。これにより、ユーザがアルバム編集ボタン２０１を選択することで、アルバム編集処理が開始され、音楽ボタン２０２を選択することで、音楽指定処理が開始される。なお、メモリカード１４２内に音楽データが格納されていない場合には、音楽ボタン２０２はたとえばグレー表示されて選択不可能とされる。
【０１１６】
以上のように、本発明の実施の形態１では、ＤＶＤレコーダ１００を用いてＤＶＤ１７２に対して映像データ（および音楽データ）が記録されるものとして説明したが、たとえば、着脱可能な他のディスク媒体に記録されるものであってもよいし、予め内蔵された他の媒体であってもよい。このような装置としては、たとえば、ハードディスクレコーダや、ポータブルメディア（ＡＶ）プレーヤなどが適用可能である。なお、ポータブルメディアプレーヤの場合、ディスク媒体ではなくメモリに映像データが書き込まれる。これにより、本体を持ち歩いて映像を楽しむことができる。
【０１１７】
なお、上記ＤＶＤ１７２の代わりに、プログラムを記録しているたとえば光学媒体等を駆動装置で読み出して、メモリ１１２のプログラムをアップデートすることもできる。
【０１１８】
また、本発明の映像データ記録装置が行なう、ディスク編集方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【０１１９】
提供されるプログラム製品は、メモリ１１２などのプログラム格納部にインストールされて実行される。なお、プログラム製品は、プログラム自体と、プログラムが記録された記録媒体とを含む。
【０１２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２１】
【図１】本発明の実施の形態１に係るＤＶＤレコーダの適用例について説明するための図である。
【図２】本発明の実施の形態１に係るＤＶＤレコーダのハードウェア構成を表わすブロック図である。
【図３】本発明の実施の形態１のＤＶＤレコーダにおけるシステム制御部の機能ブロック図である。
【図４】本発明の実施の形態１のＤＶＤレコーダにおけるシステム制御部が実行するディスク編集処理の流れを示すフローチャートである。
【図５】ディスク編集メニューの表示例を示す図である。
【図６】表示方法選択画面の表示例を示す図である。
【図７】図４のステップＳ１１６のアルバム編集処理の流れを示すフローチャートである。
【図８】図４のステップＳ１１２においてモニタに表示される画面の一例を示す図である。
【図９】図７のステップＳ２０４の順番設定処理の流れを示すフローチャートである。
【図１０】順番設定処理の際の画面表示例を示す図である。
【図１１】図７のステップＳ２０８の角度設定処理の流れを示すフローチャートである。
【図１２】角度設定処理の際の画面表示例を示す図である。
【図１３】図７のステップＳ２１２の順番設定処理の流れを示すフローチャートである。
【図１４】時間設定処理の際の画面表示例を示す図である。
【図１５】図４のステップＳ１２０の音楽指定処理の流れを示すフローチャートである。
【図１６】ＢＧＭ設定画面の表示例を示す図である。
【図１７】本発明の実施の形態１におけるアルバム参照テーブルの構造例を示す図である。
【図１８】処理選択画面の表示例を示す図である。
【図１９】図４のステップＳ１１２においてモニタに表示される画面の他の例を示す図である。
【符号の説明】
【０１２２】
１００  ＤＶＤレコーダ、１１０  システム制御部、１１２  メモリ、１１４  ＯＳＤ画像生成回路、１２２  操作部、１２４  受光部、１２６  計時回路、１２８  表示部、１３０  チューナ、１４０ａ  スロット、１４０  メモリカードドライブ、１４２  メモリカード、１５２  ＭＰＥＧエンコーダ、１５４  ＭＰＥＧデコーダ、１５８  合成回路
、１６０  Ｄ／Ａ変換部、１６８  出力部、１７０  ＤＶＤ駆動装置、１７０ａ  挿入口、１７２  ＤＶＤ、１８０  リモコン装置、１９０  アンテナ、１９２  伝送ケーブル、２００  デジタルカメラ、４００  テレビ、４００ａ  モニタ、１１００  参照テーブル作成部、１１０１  編集部、１１０２  順番設定部、１１０３  角度設定部、１１０４  時間設定部、１１０５  判断部、１１０６  音楽指定部、１１０８  処理選択部、１１０９  ディスク作成処理部、１１１０  記憶処理部。
【図１】
2006295556.tif 000003
【図２】
2006295556.tif 000004
【図３】
2006295556.tif 000005
【図４】
2006295556.tif 000006
【図５】
2006295556.tif 000007
【図６】
2006295556.tif 000008
【図７】
2006295556.tif 000009
【図８】
2006295556.tif 000010
【図９】
2006295556.tif 000011
【図１０】
2006295556.tif 000012
【図１１】
2006295556.tif 000013
【図１２】
2006295556.tif 000014
【図１３】
2006295556.tif 000015
【図１４】
2006295556.tif 000016
【図１５】
2006295556.tif 000017
【図１６】
2006295556.tif 000018
【図１７】
2006295556.tif 000019
【図１８】
2006295556.tif 000020
【図１９】
2006295556.tif 000021